(57)【要約】【課題】  快適にひげそりをする。【解決手段】  カミソリの刃の下側にも円滑材を塗布する。【選択図】図１
2014018631.tif 000002
【特許請求の範囲】
【請求項１】
肌を滑らかにする円滑材を刃の下側に塗布した簡易型カミソリ。
【発明の詳細な説明】
【技術分野】
【０００１】  本発明は、肌を滑らかにする円滑材を刃の下側に塗布した簡易型カミソリに関するものである。
【背景技術】
【０００２】  私は旅行に良く出かける方である。その都度カミソリとして持っていくのは、安価な使い捨てのカミソリである。使い捨ての簡易型とは言え、これは優れもので、まず、剃り味が良く使い勝手に不満は無い。しかも、軽く小さく場所を取らず、その上、人によっては１本で一度ならず二度、三度使用しても、剃り味が極端に悪くなることも無い。そこそこの所で捨てれば、僅かとは言え荷物も軽くなる。【０００３】  この形の物を使い始めたのは、今から既に２０年余り経っているが、現在でもメーカーは違えど同じような物を作り続けている。それらは私にとって最早定番となっている。【０００４】  以前はジレットやシックと言ったメーカーが製造していたように記憶しているが、今では名こそ違え多数のメーカーが良く似たものを作っている。しかも安価に世界のいろいろな地域で容易に手に入る。ホテルに備え付けの物も、飛行機の中で配ってくれる物もほぼ同じ。それゆえ持参するのを忘れても困ったことは無い。【０００５】  これはもうかなり以前の話だが、国内のいろいろな所に出かけていた時は温泉旅館に泊まることも多かった。いずれも自費で泊まるわけでは無く、用意してもらった旅館なので偉そうなことは言えないが。幸いにもその地方では一流と言われている所がほとんどであった。ところが、それらの旅館に備え付けられていたカミソリは私の肌に合わなかっただけでなく、何度か顔に傷を付けてしまった。一流旅館でこれならばあとは押して知るべしと、それからは国内旅行にはもっぱら電気カミソリを持参していた。その後、温泉旅館に泊まることもほとんどなく、専ら海外旅行だけになったので、それらのカミソリが今どうなっているのか知る由もない。【０００６】  尤も、その電気カミソリもすんなりとは行かなかった。海外で使用するには、当時はやれ使用電圧だコンセントの形だ等、それぞれを滞在する所に合わせねばならず面倒な上、電気カミソリ自体も案外重く荷物になった。その割に肝心の剃り味は今一つで満足出来るものでは無かった。と言うわけでこれも合格点には届かない。
【発明の開示】
【発明が解決しようとする課題】
【０００７】  そんなこんなで些細なことに苦労していた８０年代に出会ったのがシックやジレットの簡易型カミソリであった。最初手にした時は、その価格から期待は無用と少し馬鹿にしていた。ところが、いざ実際に使ってみてその剃り味の良さとメーカー名とに妙に納得した覚えがある。今は昔、それらに似た製品は多数出回っていて、世界の何処ででも容易に手に入れることが出来る。【０００８】  それらは少しずつ形も異なり、またメーカー名もいろいろとあるが、いずれも安価で使い勝手に優れ、私の肌との相性も良い。それ故今日に至るまで長続きしている。その間に刃が２枚、３枚と増えたり、クリームや石鹸を塗布したものも出来、それぞれそれなりに主張があるようだ。【０００９】  旅行の時にはまさに愛用の必需品なのだが、少し困ったことも無くは無い。それは、これらカミソリの中には親切にクリームや石鹸を塗布しているものがある。ところが、そのこと自体が私にとって余り有り難くない、むしろ迷惑とも思えることなのである。【００１０】  刃の下側に塗布してあれば、まずクリームや石鹸が肌を滑らかにし、それがひげの位置まで来た直後に刃がひげの根元を通過することになり、これで目的どおりひげがスムースにカット出来る。【００１１】  ところがクリームや石鹸が刃の上側に塗布されている場合は、最初にひげの位置まで来るのはクリームや石鹸では無く刃である。それ故、少なくとも剃り始めの第一歩はクリームや石鹸を肌に塗らずにひげを剃ることになる。これは少々辛い。【００１２】  柔らかな産毛ならいざ知らず、ひげの濃くない男性でも、まして「ひげずら」ならば尚更、クリームや石鹸を肌に塗らずにひげを剃る事は不快な朝の儀式となる。塗布したものがその効果を発揮出来てこそ快適な朝がスタートする。
【課題を解決するための手段】
【００１３】  そうであれば、塗布されるクリームや石鹸の位置はカミソリの刃の下部が最適と言える。もっとも刃の下部は、肌と刃の角度や触感など微妙な所でもあるので、現行の形を大きく変えたくない。そこで刃の下部に塗布するクリームや石鹸で全てを賄うのではなく、それらはあくまで剃り始めに重きを置き、ひげそりの大半は今までどおり刃の上側に塗布されている物が対応する。こうすることで刃の下部に塗布する量は少なくても、剃り始めの不快感は和らげられる。【００１４】  刃の下部の縦２ミリ、横３５ミリの短冊型に、現行のカミソリの表面より０．２ミリ凹ませた部分を作り、その部分にクリームや石鹸を０・３ミリ乃至０・４ミリの厚さで塗布する。それ故、ひげそりに使用する前ではその部分はプラスチックの表面より０・１ミリ乃至０・２ミリ盛り上がる。よって、その部分が肌に当たると材質の違いは感じられても、表面の高さから来る違和感は無い。
【発明の効果】
【００１５】  かって温泉旅館に備え付けられていた簡易型のカミソリは、私の肌に合わず不快な思い出しかない。一流旅館に備え付けられていたという、そのことがかえって面白くなく、仕方なく電気カミソリを持参していた。ところが当時の電気カミソリは高価な割に剃り味が悪く、しかも一日ほんの数分間のみ使用するものとしては、重くかさばる荷物であり、持ち運びに不便であった。【００１６】  昔の簡易型カミソリは柄の部分が短く、使い辛いものがほとんどであった。高級品も道具そのものとしては美しく、精巧な作りではあったが、概して柄の長さは短く、それを使用するには器用さ或いは慣れを要した。【００１７】  それら昔の物に比べると現在の安価な簡易型カミソリは柄も適度に長く使い易い。刃から手で支持する位置までの距離が微妙に変化したことで重心が移動して使い易くなったかもしれない。
【発明を実施するための最良の形態】
【００１８】  ひげを剃るときに肌を滑らかにする為に予め円滑材を塗布した簡易型カミソリが出回って久しいが、いずれも円滑材を刃の上部に塗布しているので初期の目的を果たすことが出来ない。【００１９】  では、何処が私にとって問題なのかと言うと、これらのカミソリは何れもクリームや石鹸を刃の上部に塗布している為、ひげを剃ろうと刃を肌に当てた最初の一歩でつまずくことになる。つまり塗布されたクリームや石鹸が効果を発揮する前に、いきなり「ひげずら」に刃がぶつかることになり、その結果少々痛く不愉快となる。いくら温水でひげを濡らしふやかそうとも、予めクリームや石鹸が肌に塗られていなければ、産毛ならいざ知らず、滑らかにひげが剃れるわけでもなく、肌に傷を付けかねない。
それでも同じ所を何度か往復していれば、刃の上部に塗布されたクリームや石鹸も肌になじみ始めるが、残念なことに、その頃には既にひげはほぼ剃り終えているということにもなりかねない。それ故、これらのカミソリを愛用していても不本意ながらクリームや石鹸を使っている。【００２０】  刃の下側に塗布してあれば、まずクリームや石鹸が肌を滑らかにし、それがひげの位置まで来た直後に刃がひげの根元を通過することになり、これで目的どおりひげがスムースにカット出来る。【００２１】  刃の下部の縦２ミリ、横３５ミリの短冊型に、現行のカミソリの表面より０．２ミリ凹ませた部分を作り、その部分にクリームや石鹸を０・３ミリ乃至０・４ミリの厚さで塗布する。それ故、ひげそりに使用する前ではその部分はプラスチックの表面より０・１ミリ乃至０・２ミリ盛り上がる。よって、その部分が肌に当たると材質の違いは感じられても、表面の高さから来る違和感は無い。
【図面の簡単な説明】
【００２２】
【図１】  本発明の簡易型カミソリの全体図
【符号の説明】
【００２３】  １              カミソリの刃
２              円滑材
３              柄
【図１】
2014018631.tif 000003